(57)【要約】【課題】プリザーブドフラワーなどの保存加工した花を美麗に、かつ、簡単にアレンジすることができる花保持具を提供する。【解決手段】自立可能な立体的な形態を備え、かつ、保存加工した花ないし造花の支持軸を突き刺して保持することができる硬さを有するジェル１１と皿１２とからなる、あるいはジェル１１のみからなる花保持具１０。ジェル１１は、流動パラフィン８０〜９５重量％、熱可塑性エラストマー５〜２０重量％の混合体から構成され、透明または透光性を有する。ジェル１１の上面１３にプリザーブドフラワーＦの支持軸Ｊを突き刺して保持させて装飾具１６とする。【選択図】図２
2018126219.tif 000002
【特許請求の範囲】
【請求項１】
自立可能な立体的な形態を備え、保存加工した花ないし造花の支持軸を突き刺して保持することができる硬さを有するジェルからなる花保持具。
【請求項２】
前記ジェルを載置する皿または台をさらに備えている請求項１記載の花保持具。
【請求項３】
前記ジェルが、流動パラフィン８０〜９５重量％、熱可塑性エラストマー５〜２０重量％の混合体である請求項１または２記載の花保持具。
【請求項４】
前記ジェルが透明または透光性を有する請求項１〜３のいずれかに記載の花保持具。
【請求項５】
前記ジェルが側面と上面と底面を備え、側面が直立または上または下に向かって狭くなるテーパ状を呈している請求項１〜４のいずれかに記載の花保持具。
【請求項６】
前記ジェルが側面から上面にかけて連続した凸湾曲面を呈している請求項５記載の花保持具。
【請求項７】
底面の中央部が凹湾曲面を呈している請求項１〜６のいずれかに記載の花保持具。
【請求項８】
側面に凹凸模様が形成されている請求項１〜７のいずれかに記載の花保持具。
【請求項９】
請求項１〜８のいずれかに記載の花保持具と、前記ジェルに突き刺して保持された、保存加工した花または造花とからなる装飾具。
【請求項１０】
流動パラフィン８０〜９５重量％、熱可塑性エラストマー５〜２０重量％を含む材料を加熱して溶融し、型内に流し込み、放熱して固化させ、型から取り出す花保持具のジェルの製造法。
【請求項１１】
溶融した材料を型内に流し込む前に、前記型を、材料の溶融温度より高温に加熱しておく請求項１０記載の花保持具のジェルの製造法。
【請求項１２】
溶融体の一部を型内に流し込んで固化させる工程を少なくとも２回繰り返す、請求項１０記載の花保持具のジェルの製造法。
【発明の詳細な説明】
【技術分野】
【０００１】
本発明は花保持具、とくにプリザーブドフラワーなどの保存加工した花や造花を飾るための花保持具、それを用いた装飾具およびジェルの製造法に関する。
【背景技術】
【０００２】
いわゆるプリザーブドフラワーは、生花とほとんど変わらない外観を備え、しかも長期間、鑑賞できることから、フラワーアレンジメントの素材として使用されている。この場合、生花を生けるときに用いるスポンジ状の支持材（いわゆるオアシス）を水分を含めないドライな状態で使用している（特許文献１参照）。
【先行技術文献】
【特許文献】
【０００３】
【特許文献１】実開平６−８３０３２号公報
【発明の概要】
【発明が解決しようとする課題】
【０００４】
オアシスをガラス容器に入れて用いる場合、丸見えになるので見栄えがよくない。包装紙や葉などで隠すこともできるが手間がかかり、しかも自由なアレンジができない。
【０００５】
また、オアシスは一旦、突き刺したプリザーブドフラワーが動いたりすると挿し口が拡がるので抜けやすくなり、さらに抜いた後は穴が残るため、再利用が難しいという問題がある。
【０００６】
本発明はプリザーブドフラワーなどの保存加工した花や造花を美麗に、かつ、簡単にアレンジすることができる花保持具を提供することを課題としている。さらに本発明は、それ自体の外観が美麗で、しかもプリザーブドフラワーをアレンジし直したり、再利用しやすい花保持具、それを用いた装飾具および花保持具のジェルの製造法を提供することを課題としている。
【課題を解決するための手段】
【０００７】
本発明の花保持具は、自立可能な立体的な形態を備え、保存加工した花ないし造花の支持軸を突き刺して保持することができる硬さを有するジェルからなることを特徴としている。花保持具は、ジェルを載置する皿または台をさらに備えているものであってもよい。前記ジェルが流動パラフィン８０〜９５重量％、熱可塑性エラストマー５〜２０重量％の混合体であるものが好ましい。前記ジェルが透明または透光性を有するものがとくに好ましい。
【０００８】
前記花保持具においては、前記ジェルが側面と上面と底面を備え、側面が直立または上または下に向かって狭くなるテーパ状を呈しているものが一層好ましい。側面から上面にかけて連続した凸湾曲面を呈しているものであってもよい。また、底面が凹湾曲面を呈しているものが好ましい。さらに側面に凹凸模様が形成されているものが好ましい。
【０００９】
本発明の装飾具は、前記いずれかに記載の花保持具と、前記ジェルに突き刺して保持された、保存加工した花または造花とからなることを特徴としている。本発明の花保持具の製造法は、流動パラフィン８０〜９５重量％、熱可塑性エラストマー５〜２０重量％を含む材料を加熱して溶融し、型内に流し込み、放熱して固化させ、型から取り出すことを特徴としている。その場合、溶融した材料を型内に流し込む前に、前記型を、材料の溶融温度より高温に加熱しておくのが好ましい。また、溶融体の一部を型内に流し込んで固化させる工程を少なくとも２回繰り返してもよい。
【発明の効果】
【００１０】
本発明の花保持具は、保存加工した花ないし造花の支持軸を突き刺して保持することができる硬さを備えているジェルからなるので、プリザーブドフラワーなどの保存加工を施した花や造花（以下、単にプリザーブドフラワーなどという）を容易かつ確実に、刺し込み、アレンジすることができる。そして自立することができるので、花保持具を充填する容器が不要である。さらに立体的な形態を備えていることもあって、形状によっては上面だけでなく、側面にもプリザーブドフラワーなどをアレンジすることができる。前記ジェルを載置する皿または台をさらに備えている花保持具の場合は、装飾性が高く持ち運びが容易である。
【００１１】
ジェルが流動パラフィン８０〜９５重量％、熱可塑性エラストマー５〜２０重量％の混合体である場合は、粘着性と弾力性を有するため、アレンジしたプリザーブドフラワーを一層安定して保持することができる。また、プリザーブドフラワーなどを抜いた後、プリザーブドフラワーなどを再度差し込んでも保持することができる。また多数回使用して多くのプリザーブドフラワーの抜き跡が残っているジェルは、再度加熱して流動化し、型内で固化させて取り出すことにより再利用することができる。
【００１２】
ジェルが透明または透光性を有する場合は、水を入れたガラス容器のような外観を呈し、あたかも生花を生けている雰囲気を醸すことができる。さらに内部に入ってきた光の一部が表面から出て行くと共に一部が内面で反射し、キラキラと輝くので、一層外観が優れている。
【００１３】
前記ジェルが側面と上面と底面を備え、側面が直立または上または下に向かって狭くなるテーパ状を呈している場合は、固化したジェルを型から容易に取り出すことができる。型は剛性のものでもよく、可撓性を有するものでもよい。ジェルが側面から上面にかけて連続した凸湾曲面を呈している場合は、プリザーブドフラワーなどを側面から上面にかけて連続的に挿していくことができ、華麗なアレンジが得られる。
【００１４】
底面が凹湾曲面状を呈している場合は、ジェルの弾力性によって底面が吸盤の機能を奏する。そのため、平滑な台や容器に載置したとき、ジェル表面の粘着性に加えて吸着力が作用するので、一層安定して載置することができる。また、側面に凹凸模様が形成されている場合は、ジェルの表面が容器のように見え、凹凸模様を楽しむことができる。そしてジェルが透明な場合は、水をたたえた透明容器のように見え、光の屈折や反射によるキラキラとした美的効果が奏される。しかも凹凸模様によってプリザーブドフラワーなどの茎ないし針金などの支持軸（芯）や気泡が目立たないので、一層美観に優れる。
【００１５】
本発明の装飾具は上記の花保持具を用いているので、複数本のプリザーブドフラワーなどを容易に、いろいろな向きに刺してアレンジすることができ、優れた装飾効果をもたらすことができる。さらにジェルが透光性を有する場合は、水に入れた生花の雰囲気を醸すことができる。そしてプリザーブドフラワーなどの美しさが引き立ち、贈答品などとして好適に使用することができる。
【００１６】
本発明の花保持具の製造法によれば、花保持具のジェルを効率的に製造することができる。また、ジェルが弾性を有するので、外観を損なわずに型から取り出すことができる。溶融した材料を型内に流し込む前に、前記型を、材料の溶融温度より高温に加熱しておくと、ジェル内に気泡が生じにくく、また、生じたとしても消えやすい。溶融体の一部を型内に流し込んで固化させる工程を少なくとも２回繰り返す場合は、１回目の固化で生じた表面の凹みを２回目以降の流し込み・固化によって小さくしたり、目立たないようにすることができる。
【図面の簡単な説明】
【００１７】
【図１】本発明の花保持具の一実施形態を示す斜視図である。
【図２】図１の花保持具の使用状態を示す斜視図である。
【図３】図１の花保持具の製造法を示す工程図である。
【図４】本発明の花保持具の他の実施形態を示す断面図である。
【図５】図４の花保持具の製造法を示す概略工程図である。
【図６】図４の花保持具の使用状態を示す斜視図である。
【図７】本発明の花保持具の他の実施形態を示す側面図である。
【図８】本発明の花保持具のさらに他の実施形態を示す側面図である。
【図９】本発明の花保持具のジェルの製造法の一実施形態を示す工程図である。
【図１０】本発明の花保持具のジェルの製造法に用いる混合体充填ラインの一例を示す概略図である。
【発明を実施するための形態】
【００１８】
図１に示す花保持具１０は、上下を逆にした略円錐台の形状を備えたジェル１１からなる。ジェル１１単独で構成するほか、装飾性を高めるため、図２のように皿１２に載せ、あるいは板状のベース、台などに載せて全体として花保持具１０としてもよい。皿１２などに載せると移動や持ち運びが容易である。単独で、あるいは皿などに載せたものを透明のケースに入れてもよい。皿１２やベース、台などは透明なガラス製が高級感があって好ましい。ただし合成樹脂製や陶器製であってもよい。皿１２は円形でも角形でもよい。ケースに入れると、ほこりなどによる汚れを防止し、保護することができる。
【００１９】
図１のジェル１１は平坦で略円形の上面１３と、その上面より小さい平坦で略円形の底面１４と、それらの間に介在されるテーパ状の側面１５からなる逆円錐台状の形態を備えている。この花保持具１０は、図２に示すように、ジェル１１の上面１３にプリザーブドフラワーＦを支持する針金などの支持軸Ｊを挿し込むことにより装飾具１６となる。
【００２０】
ジェル１１は透明なもの、少なくとも透光性を有するものが採用される。無色透明のほか、有色透明であってもよい。透明度および屈折率が高い材料を採用すると、光の反射や屈折による美観を一層楽しむことができる。ただし不透明ないし透光性を有しないものであってもよい。図１の実施形態のように側面１５に凹凸模様１７を形成すると、透明による美観を維持しながら、プリザーブドフラワーなどの支持軸(図２の符号Ｊ）を目立たないようにすることができる。プリザーブドフラワーなどは長期保存が可能なことから、ジェル１１は耐久性が高いものが好ましい。
【００２１】
ジェル１１はいわば花器ないし花器の一部になるので、デザインの優れたものが好ましく、花の形状や載置する皿１２やベース、配置する場所などに応じて選択できるように種々のデザインのものを準備するのが好ましい。このようなデザインは型の内面形状により作成する。型は専用のものを制作するほか、ガラスや陶器、あるいは金属製の容器で内面に美麗な凹凸模様を有するものを型として利用することができる。図１のジェル１１の側面１５には、上下に延びる多数の突条１８からなる凹凸模様１７が形成されている。突条１８の断面は緩い円弧状を呈しており、それらの間に浅い溝１９が形成されている。突条１８は斜めに形成されてもよく、緩い螺旋状であってもよい。
【００２２】
ジェル１１の大きさ、高さは、アレンジするプリザーブドフラワーなどの本数や大きさによって選択する。通常の大きさ、たとえば差し渡し２０〜５０ｍｍ程度のプリザーブドフラワーであれば、１０〜３０ｍｍ程度の厚さのジェルで充分に支持することができる。なお、ジェル１１の厚さが３０ｍｍを超えると、溶融した材料を流し込むときに高い位置から流し込むため気泡が生じやすく、気泡を除去する操作をしても残りやすい。そのため、３０ｍｍ以下、とくに２０ｍｍ以下とするのが好ましい。２０ｍｍ以上の高いジェルを成形する場合は、数回に分けて順に重ねるように流し込むのが好ましい。
【００２３】
前記ジェル１１は、自立することができ、プリザーブドフラワーＦなどの支持軸Ｊを突き刺すことができる程度で、かつ、突き刺した支持軸Ｊが保持される程度の硬さがあればよい。硬すぎるとアレンジしにくく、柔らか過ぎると自立できず、プリザーブドフラワーを安定させにくい。ジェル１１は、たとえば流動パラフィン（ホワイトオイル）８０〜９５重量％、熱可塑性エラストマー５〜２０重量％の混合体からなるものが用いられる。流動パラフィンは溶融温度が８０〜１２０℃程度のものが用いられる。
【００２４】
熱可塑性エラストマーとしては、ポリエチレンブロックと柔軟なポリオレフィン構造のエラストマーブロックで構成された、ジブロックとトリブロックの２種類を基本とするブロック共重合体が好ましく用いられる。このような熱可塑性エラストマーは、たとえば株式会社クラレ製の水素添加スチレン系熱可塑性エラストマーであるセプトン（株式会社クラレの登録商標）が好適に用いられる。とくに非晶質で引っ張り弾性に優れていることから、セプトン＊３（ポリスチレン−ポリ（エチレン／ブチレン）ブロック−ポリスチレン）が好ましい。
【００２５】
ジェル１１には、前記主成分である流動パラフィンと熱可塑性エラストマーのほか、通常使用される添加剤、たとえば黄変を防止するＵＶパウダーなどを適宜添加してもよい。ジェル１１を形成するには、図３に示すように、前述の材料を溶融して混合し、流動化した混合体２０をポット（やかん）２１を用いて型２２内に流し込み、放熱して固化させ、ついで型２２から取り外す。
型２２としてはデザイン製の高いガラス製や陶器製の鉢ないし深皿などの容器を使用することができる。金属製の容器や金型を用いることもできる。
【００２６】
図３の製造法では、流し込みと固化を２回繰り返している。流動化した混合体２０は固化するときに体積が減縮し、型２２内で固化させると上面の中央部に凹部２３が形成される。そのため、１回目で形成された中央の凹部２３を２回目の流し込みと固化で埋めて平面状にするのが好ましい。流し込みと固化は３回以上繰り返してもよい。
【００２７】
上記のようにして製造されたジェル１１に細かな気泡が混入することがある。細かな気泡はプリザーブドフラワーの支持軸を目立たなくするので、適度な量や大きさであればとくに問題はない。ただし量が多すぎるとジェル１１の透明度が低下し、気泡が大きすぎるとプリザーブドフラワーを支持する力が弱くなる。そのため、流動化したジェルを加熱用の容器から型に流し込むときは、型の底面に近づけて、あるいは壁の内面を伝わせるなどして、低い位置から、たとえば３０ｍｍ以下、とくに２０ｍｍ以下の高さから流し込む。このとき、できるだけ空気を巻き込まないように、しかも温度が下がらないように素早く流し込む。
【００２８】
この場合、始めに溶融温度より１０℃以上、好ましくは２０℃以上高温に加熱し、ついで静置して気泡を減少させ、溶融温度まで低下する前に、たとえば８０〜１１０℃程度、とくに９０℃前後で型内に流し込む。それにより気泡の数が少なくなり、かつ、残っている気泡の大きさが比較的細かくなる。なお、材料を混合溶融するときは大きい加熱混合用の容器（鍋）を用い、型に小分けするときに注ぎ口を備えたポット（やかん）入れて少量だけ再加熱するようにすると、効率的である。
【００２９】
図２に示すように、ジェル１１の上面１３に、多数のプリザーブドフラワー１Ｆや造花の支持軸Ｊを突き刺してアレンジすることにより、装飾具１６となる。ジェル１１は透明で水のように見えるので、オアシスのように隠す必要がなく、プリザーブドフラワーＦなどの隙間からジェル１１が見えてもかまわない。さらに美麗な色彩のジェルや有色透明のジェルの場合は、積極的に見せるアレンジを楽しむことができる。また、全体の色彩と異なる色のジェルを部分的に組み合わせて差し色を楽しむこともでき、プリザーブドフラワーの美しさを引き立てる効果がある。このようにジェル１１はプリザーブドフラワーなどをアレンジできるデザインの自由度が高く、使用者は好みのデザインの装飾具１６を形成しうる。
【００３０】
プリザーブドフラワーＦは、生花を脱水処理した後、保存液に浸漬して残存する水と置換し、さらに乾燥させた公知の保存加工した花である。加工によって色が抜けることがあるので、保存液に染料を添加することが多い。そのため、本来は緑色の茎までが花と同じ染まるので、茎に代えて、合成樹脂製の萼や針金などからなる支持軸Ｊで花を支持する。染料は花の本来の色のほか、鮮やかな色の染料を用いることもある。このような支持軸Ｊは、花の位置がジェル１１の表面よりいくらか、たとえば５〜２０ｍｍ程度高くなるものを採用する。
【００３１】
プリザーブドフラワーＦに代えて、ドライフラワーや、乾燥後に樹脂で硬化した花など、さらに長期保存できる加工を施した花を採用することもできる。また、布を花びら風に重ねた造花やプラスチック製の球状ないし多面体の飾り玉Ｔも単独で、またはプリザーブドフラワーと共に使用することができる。プリザーブドフラワーなどの生花を保存加工したものは、時間の経過と共にいずれ劣化するが、ジェルは加熱して流動化し、再び型で成形して取り出すことにより保持具として再生することができる。そして新たなプリザーブドフラワーを突き刺して装飾具として使用することができる。
【００３２】
前記実施形態では水平の上面１３と傾斜した側面１５が円形の稜線で分かれているが、図４に示すジェル２４のように、側面１５から上面１３にかけて滑らかに湾曲した球面状ないし半球状の凸面とすることもできる。このようなジェル２４は、図５に示すように、湾曲した凹面からなる内面２５を有する型２６を用いて溶融体を固化させ、反転して取り出すことにより製造することができる。このものは固化の工程で上側であった凹部２７を有する面を底面１４として使用する。そのためたとえば皿１２に載置したとき、凹部２７と皿１２の間の空間Ｓが自重でつぶされ、ジェル１１の弾力性によって吸盤として作用する。そのため皿１２にジェル２４が固定され、皿１２を傾けたり動かしてもずれない。したがって持ち運びに便利である。なお、図２のような上に向かって差し渡しが大きくなるジェルの場合は、反転させないので、底面１４に直接凹部を形成する。たとえば型の内底面に凹部に対応する凸部をあらかじめ形成しておく。また、底面を平坦に形成した上で、成形後に削るなどによって凹部を形成することもできる。
【００３３】
図４に示すジェル２４は、側面１５から上面１３にかけて滑らかに連続している半球状を呈しているので、図６に示すように、プリザーブドフラワーＦなどを側面１５から上面１３にかけて挿すことができ、全体として中央が盛り上がった山の形態に簡単にアレンジすることができる。この場合、花の付け根まで突き刺すだけで、簡単に多数の花を球面状に拡がるようにアレンジすることができる。図４に示すジェル２４は、側面１５にもプリザーブドフラワーをアレンジするため、凹凸模様を設ける必要はない。なおジェル１１は、円錐台や半球ないし部分球のほか、多角柱、円柱や楕円柱など、種々の形態を採用することができる。また、大きさも直径ないし１辺が数１０ｍｍから１００ｍｍ以上のものなど、とくに限定されない。小さなジェルを複数個組み合わせて形成することもできる。
【００３４】
図１の実施形態では、ジェル１１の側面１５の凹凸模様が比較的浅いが、図７のジェル２８のように、断面Ｖ字状の深い溝２９、２９ａからなるカットガラス風の凹凸模様３０を形成して、装飾性を高めてもよい。図７のジェル２８は、互いに逆の斜め方向に延びる溝２９、２９ａ同士を交差させ、四角錐状の突起３１を多数配列した凹凸模様３０としている。このような深い凹凸模様３０でも、ジェルが弾力性を有するので、割型などにしなくても、型から取り外すことができる。
【００３５】
図１のジェル１１は逆円錐台状の形態を備えているが、好みやプリザーブドフラワーの形などにより、図８に示すような面積が広い側を下にした円錐台状のジェル３２を使用することもできる。この場合は傾斜している側面１５にもプリザーブドフラワーＦをアレンジすることができる。図８の花保持具１０は、ジェル３２を板状のベース３３の上に載置している。
【００３６】
図９は生産効率が高いジェルの製造法の実施形態を示している。流動パラフィン、熱可塑性エラストマーおよびＵＶパウダーなどの添加物を所定量計測し、大きい加熱混合用の容器（鍋）に入れて加熱し、溶融状態で混合する（Ｓ１）。その場合は混合しやすいように高温、たとえば１００℃以上、とくに１２０℃以上に加熱する。さらには１４０℃〜１５０℃、あるいは１５０℃以上に加熱する。それにより均一で流動性の高い混合体を得る。
【００３７】
上記の混合体とは別に、型を耐熱性の材料で形成しておき、型を、混合体の溶融温度より高い温度、たとえば溶融温度が１２０℃の場合は１３０℃〜１６５℃程度あるいは１４０℃〜１６０℃程度に加熱しておく（Ｓ２）。そして加熱した型に溶融した混合体を流し込む（Ｓ３）。ついでゆっくりと、たとえば４５〜６０分程度、好ましくは６０分以上かけて放熱していく（Ｓ４）。それにより混合体が固化し、ジェルが得られる。その後、取り扱い易い温度、たとえば３０℃程度までジェルを放熱し、型から取り出す（Ｓ５）。このように型を予備加熱し、材料を徐冷すると、製造されるジェルに気泡が生じにくい。なお、型の温度は、上記以外に混合体と同程度であってもよい。さらに流動性を低下させたくないなど、場合により、型の温度を混合体よりも高くしてもよく、さらに安全性などのため若干低くしてもよい。また、型の温度は型の材質によっても異なる。
【００３８】
図１０はジェルの製造ラインの一実施形態を示している。この製造ライン４０は、型４１を搬送する耐熱性のコンベア４２と、流れている型４１を加熱する加熱炉４３を備えている。型４１は加熱炉４３の手前でコンベア４２に載せ、加熱炉４３から出てきた型４１に、ポット２１などを用いて溶融した混合体２０を流し込む。さらにコンベア４２でゆっくりと搬送しながら徐冷していく。それにより混合体２０は固化し、ジェル２４となる。最後にジェル２４を型４１から取り出す。
【００３９】
加熱溶融した混合体は、大きい加熱混合用の容器（鍋）からそのまま型に充填していくこともできる。しかし途中で温度が低下することがあり、しかも小さい型に注入するのは煩雑である。そこで一旦、注ぎ口を備えた小分け用のポット（やかん）に流し込み、ポットから型に注入するのが効率的である。なお、家庭内でジェルを成形する場合は、混合体を流し込みに必要な温度、たとえば８０〜１１０℃、とくに９０℃前後に加熱して流し込めばよい。それにより必要な熱量を抑制することができ、安全である。しかも黄変などジェルの劣化を防止することができるので好ましい。
【００４０】
ジェルの材料を溶融した後、冷却・硬化するとき、バイブレータや搬送コンベアで振動を与えて気泡を除去する脱泡工程を設けたり、あるいは真空チャンバー内で冷却すれば、ジェル内に残る気泡を抑制することができる。これらの方法は、ジェルの透明度が高くなる利点がある。
【００４１】
ジェルを成形するとき、サンドブラスト加工やフロスト加工によって型の表面に曇りをつけてもよい。ただし内面は凹凸模様によるものを除き、平滑にするのが好ましい。平滑にすることにより、ジェルを型から剥がしやすくすることができる。さらにサンドブラスト加工やフロスト加工などによる細かな凹凸は、気泡が生じる原因となるので、少なくとも容器の内面では細かな凹凸は形成しないのが好ましい。
【符号の説明】
【００４２】
１０  花保持具
１１  ジェル
１２  皿
１３  上面
１４  底面
１５  側面
Ｆ  造花
Ｊ  支持軸
Ｔ  飾り玉
１６  装飾具
１７  凹凸模様
１８  突条
１９  溝
２０、２０ａ  混合体
２１  ポット
２２  型
２３  凹部
２４  ジェル
２５  内面
２６  型
２７  凹部
Ｓ  空間
２８  ジェル
２９、２９ａ  溝
３０  凹凸模様
３１  突起
３２  ジェル
３３  ベース
４０  製造ライン
４１  型
４２  コンベア
４３  加熱炉
【図１】
2018126219.tif 000003
【図２】
2018126219.tif 000004
【図３】
2018126219.tif 000005
【図４】
2018126219.tif 000006
【図５】
2018126219.tif 000007
【図６】
2018126219.tif 000008
【図７】
2018126219.tif 000009
【図８】
2018126219.tif 000010
【図９】
2018126219.tif 000011
【図１０】
2018126219.tif 000012